(57)【要約】【課題】ラジオ放送受信機能を備えた携帯端末装置の使いやすさを向上させ、またコスト低減を図る。【解決手段】携帯端末装置は第１及び第２のラジオ放送受信部を備え、第１のラジオ放送受信部でラジオ放送受信中にユーザが移動した場合、第２のラジオ放送受信部が周波数を検索し、移動先で同一番組を検知し、その受信感度が高くなると、第１のラジオ放送受信部をその周波数に同調させる。【選択図】      図１
2004179988.tif 000002
【特許請求の範囲】
【請求項１】
ラジオ放送受信機能を備えた携帯端末装置であって、
第１のラジオ放送受信部と、
第２のラジオ放送受信部と、
前記第１と第２のラジオ放送受信部が受信する放送信号を比較する放送信号比較部と、
前記第１と第２のラジオ放送受信部が受信する放送の受信感度を比較する受信感度比較部と、
ラジオ放送の受信を制御する制御部と、
を備えることを特徴とする携帯端末装置。
【請求項２】
前記制御部は基地局から入手した位置情報に基づき前記携帯端末装置が移動したことを検知する検知手段を備える請求項１記載の携帯端末装置。
【請求項３】
前記第１と第２のラジオ放送受信部は、それぞれアンテナ部、放送受信部、およびシンセサイザ部を備える請求項１記載の携帯端末装置。
【請求項４】
前記第２のラジオ放送受信部が備える放送受信部およびシンセサイザ部は前記携帯端末装置の受信部とシンセサイザ部である請求項３記載の携帯端末装置。
【請求項５】
前記制御部は第１のラジオ放送受信部がラジオ放送受信中に前記携帯端末装置が移動したとき第２のラジオ放送受信部に受信可能な周波数を検索させる請求項１または２記載の携帯端末装置。
【請求項６】
前記制御部は第１及び第２のラジオ放送受信部がそれぞれ受信するラジオ放送を比較し、同一の放送信号であるが周波数が異なり第２のラジオ放送受信部の受信感度のほうが高い場合は第１のラジオ放送受信部の受信周波数を第２のラジオ放送受信部が受信している周波数に切り替える請求項５記載の携帯端末装置。
【請求項７】
ラジオ放送受信機能を備えた携帯端末装置であって、
外部のラジオ放送受信器の信号入力手段と、
外部のラジオ放送受信器の周波数を調整する手段と、
第２のラジオ放送受信部と、
前記外部のラジオ放送受信器と第２のラジオ放送受信部が受信する放送信号を比較する放送信号比較部と、
前記外部のラジオ放送受信器と第２のラジオ放送受信部が受信する放送の受信感度を比較する受信感度比較部と、
ラジオ放送の受信を制御する制御部と、
を備えることを特徴とする携帯端末装置。
【請求項８】
前記制御部は基地局から入手した位置情報に基づき前記携帯端末装置が移動したことを検知する検知手段を備える請求項７記載の携帯端末装置。
【請求項９】
前記第２のラジオ放送受信部が備える放送受信部およびシンセサイザ部は前記携帯端末装置の受信部とシンセサイザ部である請求項７記載の携帯端末装置。
【請求項１０】
前記制御部は外部のラジオ放送受信器が受信するラジオ放送を受信中に前記携帯端末装置が移動したとき第２のラジオ放送受信部に受信可能な周波数を検索させる請求項７または８記載の携帯端末装置。
【請求項１１】
前記制御部は外部のラジオ放送受信器及び第２のラジオ放送受信部がそれぞれ受信するラジオ放送を比較し、同一の放送信号であるが周波数が異なり第２のラジオ放送受信部の受信感度のほうが高い場合は外部のラジオ放送受信器の受信周波数を第２のラジオ放送受信部が受信している周波数に切り替える請求項１０記載の携帯端末装置。
【請求項１２】
携帯端末装置を用いたラジオ放送受信方法であって、
前記携帯端末装置中の第１のラジオ受信部によってラジオ放送を受信し、
該携帯端末の移動を検知したとき該携帯端末装置中の第２のラジオ受信部によって受信可能な周波数の検索を開始し、
前記第１及び第２のラジオ受信部がそれぞれ受信するラジオ放送を比較し、
前記それぞれのラジオ放送が同一の放送信号を有するが周波数が異なり第２のラジオ放送受信部の受信感度のほうが高い場合は第１のラジオ放送受信部の受信周波数を第２のラジオ放送受信部が受信している周波数に切り替える、
ことを特徴とするラジオ放送受信方法。
【請求項１３】
携帯端末装置を用いたラジオ放送受信方法であって、
外部のラジオ放送受信器を前記携帯端末装置に接続し該外部のラジオ受信部によってラジオ放送を受信し、
該携帯端末の移動を検知したとき該携帯端末装置中の第２のラジオ受信部によって受信可能な周波数の検索を開始し、
前記外部のラジオ受信器及び第２のラジオ受信部がそれぞれ受信するラジオ放送を比較し、
前記それぞれのラジオ放送が同一の放送信号を有するが周波数が異なり第２のラジオ放送受信部の受信感度のほうが高い場合は前記外部のラジオ放送受信器の受信周波数を第２のラジオ放送受信部が受信している周波数に切り替える、
ことを特徴とするラジオ放送受信方法。
【発明の詳細な説明】
【０００１】
【発明の属する技術分野】
本発明は、携帯端末装置に関し、特にラジオ放送受信機能を備えた携帯端末装置とラジオ放送の受信方法に関する。
【０００２】
【従来の技術】
現在、様々な機能を備えた携帯電話機が提案されている。その中で、例えばラジオ放送受信機能を備えた無線電話装置がある（例えば、特許文献１参照）。これらの携帯電話機には、受信エリアに応じて、選局できる放送局の周波数を予め記憶しておき、ユーザーが移動した際には携帯電話の位置情報に基づいて放送局を自動選局できる携帯電話機もある（例えば、特許文献２参照）。
【０００３】
【特許文献１】
特開平０５−２６８１５１号公報（第２−３頁、図１−図２）
【特許文献２】
特開平０８−１６２９０９号公報（第５−６頁、図１−図３）
【０００４】
【発明が解決しようとする課題】
しかし、上記特許文献１に開示された無線電話装置は、１つのラジオ放送局の電波を受信できる範囲が２０〜５０ｋｍ程度であるため、ユーザーが移動した場合には移動先の地域ごとに選局が必要となり、面倒な手間を要する。また特許文献２に開示された携帯電話機（端末装置）は、上記選局の手間を省くことができるが、全国の放送局を網羅するには膨大な量のデータが必要となり、メモリ容量の増加による高コスト化という問題がある。また新規に開設された放送局など、メモリに記憶されていない放送局については自動選局が不可能である。
【０００５】
本発明はこのような問題を解決し、携帯電話機のユーザーが移動し、受信している放送局の周波数が変わった場合でも、自動的に選局し、同じ番組を続けて聴取することができ、かつ低コストの携帯端末装置と該装置を用いたラジオ放送受信方法を提供することを目的とする。
【０００６】
【課題を解決するための手段】
本発明の第１の携帯端末装置は、第１のラジオ放送受信部と、第２のラジオ放送受信部と、第１と第２のラジオ放送受信部が受信する放送信号を比較する放送信号比較部と、第１と第２のラジオ放送受信部が受信する放送の受信感度を比較する受信感度比較部と、ラジオ放送の受信を制御する制御部とを備える。
【０００７】
また、本発明の第２の携帯端末装置は、外部のラジオ放送受信器の信号入力手段と、外部のラジオ放送受信器の周波数を調整する手段と、第２のラジオ放送受信部と、外部のラジオ放送受信器と第２のラジオ放送受信部が受信する放送信号を比較する放送信号比較部と、外部のラジオ放送受信器と第２のラジオ放送受信部が受信する放送の受信感度を比較する受信感度比較部と、ラジオ放送の受信を制御する制御部とを備える。
【０００８】
上記携帯端末装置では、制御部は基地局から入手した位置情報に基づき携帯端末装置が移動したことを検知する検知手段を備えることができる。上記第１および第２のラジオ放送受信部は、それぞれアンテナ部、放送受信部、およびシンセサイザ部を備えることができ、また第２のラジオ放送受信部が備える放送受信部およびシンセサイザ部として上記携帯端末装置の受信部とシンセサイザ部を用いることができる。
【０００９】
上記第１の携帯端末装置では、制御部は第１のラジオ放送受信部がラジオ放送受信中に携帯端末装置が移動したとき第２のラジオ放送受信部に受信可能な周波数を検索させ、さらに第１及び第２のラジオ放送受信部がそれぞれ受信するラジオ放送を比較し、同一の放送信号であるが周波数が異なり第２のラジオ放送受信部の受信感度のほうが高い場合は第１のラジオ放送受信部の受信周波数を第２のラジオ放送受信部が受信している周波数に切り替えることができる。
【００１０】
同様に上記第２の携帯端末装置では、制御部は外部のラジオ放送受信器が受信するラジオ放送を受信中に携帯端末装置が移動したとき第２のラジオ放送受信部に受信可能な周波数を検索させ、さらに制御部は外部のラジオ放送受信器及び第２のラジオ放送受信部がそれぞれ受信するラジオ放送を比較し、同一の放送信号であるが周波数が異なり第２のラジオ放送受信部の受信感度のほうが高い場合は外部のラジオ放送受信器の受信周波数を第２のラジオ放送受信部が受信している周波数に切り替えることができる。
【００１１】
本発明の第１のラジオ放送の受信方法は、携帯端末装置中の第１のラジオ受信部によってラジオ放送を受信し、該携帯端末の移動を検知したとき該携帯端末装置中の第２のラジオ受信部によって受信可能な周波数の検索を開始し、第１及び第２のラジオ受信部がそれぞれ受信するラジオ放送を比較し、それぞれのラジオ放送が同一の放送信号を有するが周波数が異なり第２のラジオ放送受信部の受信感度のほうが高い場合は第１のラジオ放送受信部の受信周波数を第２のラジオ放送受信部が受信している周波数に切り替える。
【００１２】
本発明の第２のラジオ放送の受信方法は、外部のラジオ放送受信器を携帯端末装置に接続し該外部のラジオ受信部によってラジオ放送を受信し、該携帯端末の移動を検知したとき該携帯端末装置中の第２のラジオ受信部によって受信可能な周波数の検索を開始し、外部のラジオ受信器及び第２のラジオ受信部がそれぞれ受信するラジオ放送を比較し、それぞれのラジオ放送が同一の放送信号を有するが周波数が異なり第２のラジオ放送受信部の受信感度のほうが高い場合は外部のラジオ放送受信器の受信周波数を第２のラジオ放送受信部が受信している周波数に切り替える。
【００１３】
上記携帯端末装置およびラジオ放送の受信方法では、携帯端末のユーザがラジオ放送受信しながら移動しても、受信中の番組をそのまま自動的に連続して聴取することができる。
【００１４】
【発明の実施の形態】
図１は本発明の携帯端末装置の具体例を示すブロック図である。この携帯端末装置は、まず携帯電話器としての送受信機能を実現する構成要素として、アンテナ１と、スイッチ２と、送信部３と、シンセサイザ部４と、受信部５と、制御部６と、表示部７と、キー操作部８と、レシーバ９と、マイク１０と、スピーカ１１と、位置情報記憶部１２とを有する。
【００１５】
上記アンテナ１は、携帯電話の送受信を行うものであり、スイッチ２を介して携帯電話の送信部３または受信部５へ接続される。送信部３の送信周波数と受信部５の受信周波数は、シンセサイザ部４により調整される。上記携帯電話器の無線部は制御部６により制御され所定の周波数で送受信を行う。携帯電話器の基地局から送信される位置情報は、上記受信部で受信して位置情報記憶部１２へ記憶される。
【００１６】
表示部７は電話番号や時刻など様々な情報を表示する表示部であり、キー操作部８は英数字を入力するためのテンキーやカーソル移動のための十字キーなどを備える。レシーバ９は携帯電話器の通話時に相手の音声を出力し、マイク１０はユーザーの声を収集する。スピーカ１１は着信時に鳴音して着信を知らせるほか、ラジオ放送の音声を出力することも可能である。
【００１７】
さらに本具体例では、放送受信機能を実現する構成要素として、アンテナ１３と、放送受信部１４と、シンセサイザ部１５とを備える第１のラジオ放送受信部１６と、アンテナ１７と、放送受信部１８と、シンセサイザ部１９とを備える第２のラジオ放送受信部２０とを有する。また、第１および第２のラジオ放送受信部が受信する放送の放送信号を比較する放送信号比較部２１と、第１および第２のラジオ放送受信部の放送受信感度を比較する受信感度比較部２２を備える。これら第１、第２のラジオ放送受信部１６、２０と放送信号比較部２１と受信感度比較部２２は上記制御部６によって制御される。
【００１８】
アンテナ１３はラジオ放送受信用のアンテナであり、シンセサイザ部１５により受信周波数が調整され、所定の周波数のラジオ放送を放送受信部１４で受信する。この第１のラジオ放送受信部１６は、ユーザーがまず最初にラジオ放送を聴くための受信手段である。アンテナ１７と、放送受信部１８と、シンセサイザ部１９とを備える第２のラジオ放送受信部２０は、ユーザーが第１のラジオ放送受信部１６によりラジオ番組を聴いている間に、第１のラジオ放送受信部１６の受信周波数以外の受信可能な周波数を検索し、受信することができる。
【００１９】
放送信号比較部２１は、互いに異なる周波数で受信している第１のラジオ放送受信部１６の放送信号と、第２のラジオ放送受信部２０の放送信号を比較し、放送信号が同じであるかどうか、すなわちそれぞれの受信している放送が同じ放送局からのものであるかどうかを判定する。比較方法は、例えば受信した放送信号をＡ／Ｄ変換した後の音声データを比較すれば容易に実現可能である。受信感度比較部２２は、放送信号比較部２１の比較の結果、互いに異なる周波数で受信した第１のラジオ放送受信部１６の放送信号と第２のラジオ放送受信部２０の放送信号が同じ場合に、第１のラジオ放送受信部１６と第２のラジオ放送受信部２０の受信感度を比較し、受信感度のよいほうの受信周波数を第１のラジオ放送受信部１６に設定する。受信感度の比較は、受信レベルの強さを比較することで容易に実現可能である。
【００２０】
以上の構成により、ユーザーが移動しても自動的に受信周波数の同調が行われるため、手動選局などの煩わしい操作をすることなく、最適な受信状態が継続して得られる。
【００２１】
上述の具体例の携帯端末装置の動作の例について、図２のフローチャートを用いて説明する。まずユーザーは携帯端末装置をオンにして（Ｓ１０１）、ラジオ受信モードを設定し（Ｓ１０１）、ラジオ放送局を選択し（Ｓ１０２）、第１のラジオ放送受信部で受信を開始すると（Ｓ１０３）、携帯端末装置の基地局へ位置情報を要求する（Ｓ１０５）。
【００２２】
携帯端末装置は位置情報に変更がない場合は選択したラジオ放送局の受信を続行する（Ｓ１０６、Ｓ１０７）。位置情報に変更がある場合は、ユーザーが移動したと見なして、第２のラジオ放送受信部によって受信可能な放送の周波数を検索する（Ｓ１０６、Ｓ１０８）、次に検索した周波数が第１のラジオ放送受信部で受信中の周波数と同じであるか比較を行う（Ｓ１０９）。
比較結果が第１のラジオ放送受信部で受信中の周波数と同じであれば、再度第２のラジオ放送受信部で放送を受信可能な周波数を検索する（Ｓ１０８）。
【００２３】
比較結果が第１のラジオ放送受信部で受信中の周波数と違う場合には、第１のラジオ放送受信部と第２のラジオ放送受信部の受信データ（放送信号）の比較を行う（Ｓ１１０）。受信データ（放送信号）が異なる場合は、第１のラジオ放送受信部で受信中の放送局と同じ放送局ではないと判断し（Ｓ１１１）、再度第２のラジオ放送受信部で受信可能な放送の周波数の検索を開始する（Ｓ１０８）。受信データ（放送信号）が同じ場合は、第１のラジオ放送受信部で受信中の放送局と第２のラジオ放送受信部で受信中の放送局は同じであると判断して（Ｓ１１１）、第１のラジオ放送受信部の受信している放送の受信感度と、第２のラジオ放送受信部で受信している放送の受信感度を比較する（Ｓ１１２）。受信感度の比較結果、第１のラジオ放送受信部で受信中の放送の方が受信感度がよい場合（Ｓ１１３のＮＯ）は、第１のラジオ放送受信部で受信を続行し（Ｓ１１５）、第２のラジオ放送受信部で受信中の放送の方が受信感度がよい場合は、第１のラジオ放送受信部の受信周波数を第２のラジオ放送受信部の受信周波数に変更して（Ｓ１１４）、そのラジオ放送を受信する（Ｓ１１５）。
【００２４】
以上の動作により、携帯端末装置のユーザーが移動する場合、同じ番組をそのまま継続して聴くために、受信している放送局の周波数を変更する必要が生じた場合でも、自動的に同調を行うことが可能となる。なお周波数の比較と受信データ（放送信号）の比較は上記の順と逆でもよい。
【００２５】
次に、本発明の他の具体例について、図３のブロック図を用いて説明する。ここでは、前述の例においてアンテナ１７と、放送受信部１８と、シンセサイザ部１９とを備える第２のラジオ放送受信部２０は、アンテナ１７とスイッチ２３とを備えた構成になっている。ユーザーがラジオ放送を聴いている間は、携帯端末装置は着信待ちの状態であり、間欠受信を行っている。そこで、携帯端末装置が間欠受信を行わない時は、携帯端末装置の受信部５とシンセサイザ部４を第２のラジオ放送受信部２０の受信回路として利用することができる。このため回路の削減と、更なるコストダウンが可能となる。
【００２６】
更に他の具体例について、図４のブロック図を用いて説明する。ここでは第１のラジオ放送受信部１６として外部のラジオ放送受信器を使用する。このため外部ラジオ放送受信器の信号入力手段２４と外部ラジオ放送受信器の周波数調整手段２５を備える。図４では第２のラジオ放送受信部２０は図３のような携帯端末装置の受信部５とシンセサイザ部４を受信回路として利用する構成が示されているが、図１のような専用の放送受信部とシンセサイザを備える構成も当然可能である。上記周波数調整手段２５は制御部６によって制御される。
【００２７】
【発明の効果】
本発明においては、携帯端末装置によってラジオ番組を聴いているユーザーが移動する場合に、ユーザーの移動先の放送局からの同じ番組を自動的に選局できるため、手動選局などの煩わしい操作が不要となり、使い勝手のよいラジオ放送受信機能付き携帯端末装置を提供できる。
【００２８】
また２つのラジオ放送受信手段により自動選局を行うため、予め放送局などの情報をメモリ内に記憶しておく必要がなく、メモリ容量の削減によるコストダウンが可能となる。
【図面の簡単な説明】
【図１】本発明の携帯端末装置の構成例を示すブロック図。
【図２】本発明のラジオ放送受信方法の例を示すフローチャート。
【図３】本発明の携帯端末装置の他の構成例を示すブロック図。
【図４】本発明の携帯端末装置のさらに他の構成例を示すブロック図。
【符号の説明】
１、１３、１７    アンテナ
２    スイッチ
３    送信部
４、１５、１９    シンセサイザ部
５    受信部
６    制御部
７    表示部
８    キー操作部
１２    位置情報記憶部
１４、１８    放送受信部
１６    第１のラジオ放送受信部
２０    第２のラジオ放送受信部
２１    放送信号比較部
２２    受信感度比較部
【図１】
2004179988.tif 000003
【図２】
2004179988.tif 000004
【図３】
2004179988.tif 000005
【図４】
2004179988.tif 000006